(57)【要約】    【課題】  透過帯のリップルを小さくできるとともに、群遅延値を波長に対してリニアとすることができる透過型分散補償フィルタを提供する。    【解決手段】  ガラス基板１０の一方の面に第１の多層膜２０を形成するとともに、ガラス基板１０の他方の面に、第１の多層膜２０の透過帯のリップル及び分散値を補償する分光透過率特性及び群遅延特性を有する第２の多層膜３０を形成した。【選択図】      図１
2005189395.tif 000002
【特許請求の範囲】
【請求項１】
基板と、
この基板の一方の面に形成された第１の多層膜と、
前記基板の他方の面に形成され、前記第１の多層膜の透過帯の分光透過率特性及び分散値を補償する分光透過率特性及び群遅延特性を有する第２の多層膜と
を備えていることを特徴とする透過型分散補償フィルタ。
【請求項２】
所定の間隔をおいて互いに平行に配置された複数の基板と、
前記複数の基板のうちの第１の基板の一方の面に形成された第１の多層膜と、
前記第１の基板以外の基板の一方の面に形成され、前記第１の多層膜の透過帯の分光透過率特性及び分散値を補償する分光透過率特性及び群遅延特性を有する第２の多層膜と
を備えていることを特徴とする透過型分散補償フィルタ。
【発明の詳細な説明】
【技術分野】
【０００１】
この発明は光ファイバにおいて生じた波長分散を補償する透過型分散補償フィルタに関する。
【背景技術】
【０００２】
インターネットの拡大とともにブロードバンド通信の要求が高まり、光ファイバを用いた超高速光伝送網が拡大している。
【０００３】
超高速光伝送網においては、光信号が光ファイバを通る間に光信号の波長分散（歪み）が発生して伝送損失が起こる。これが原因となって光信号の無中継距離が縮まり、ビットエラーが生じるが、これを防止するには光線路の分散特性を補償する分散補償フィルタが必要になる。
【０００４】
光線路の分散特性を補償する分散特性補償方法としては、透過型分散補償フィルタを用る方法が知られている(特開２０００−１０５３１３号公報参照)。
【特許文献１】特開２０００−１０５３１３号公報
【発明の開示】
【発明が解決しようとする課題】
【０００５】
図６、図７は従来の透過型分散補償フィルタの分光透過率特性及び群遅延特性を示すグラフである。
【０００６】
図６、図７において、横軸及び縦軸はそれぞれ波長（単位：ｎｍ）及び透過率（単位：％）、群遅延（単位：ｐｓ（ピコ秒））を示している。また、曲線ａは分光透過率特性を示し、曲線ｂは群遅延特性を示している。なお、波長は１５５０ｎｍを中心透過波長とし、１５４８〜１５５２ｎｍの範囲を示している。
【０００７】
図６に示すように、透過帯の分光透過率特性のリップルを小さくすると群遅延特性の群遅延値（分散値）が波長に対してリニアでなくなるという問題がある。
【０００８】
また、図７に示すように、透過帯において群遅延特性の群遅延値を波長に対してリニアにすると透過帯のリップルが大きくなるという問題がある。
【０００９】
この発明はこのような事情に鑑みてなされたもので、その課題は透過帯の分光透過率特性のリップルを小さくできるとともに、群遅延値を波長に対してリニアにすることができる透過型分散補償フィルタを提供することである。
【課題を解決するための手段】
【００１０】
上記課題を解決するため請求項１記載の発明は、基板と、この基板の一方の面に形成された第１の多層膜と、前記基板の他方の面に形成され、前記第１の多層膜の透過帯の分光透過率特性及び分散値を補償する分光透過率特性及び群遅延特性を有する第２の多層膜とを備えていることを特徴とする。
【００１１】
請求項２に記載の発明は、所定の間隔をおいて互いに平行に配置された複数の基板と、前記複数の基板のうちの第１の基板の一方の面に形成された第１の多層膜と、前記第１の基板以外の基板の一方の面に形成され、前記第１の多層膜の透過帯の分光透過率特性及び分散値を補償する分光透過率特性及び群遅延特性を有する第２の多層膜とを備えていることを特徴とする。
【発明の効果】
【００１２】
この発明の透過型分散補償フィルタによれば、透過帯の分光透過率特性のリップルを小さくできるとともに、群遅延値を波長に対してリニアにすることができる。
【発明を実施するための最良の形態】
【００１３】
以下、この発明の実施の形態を図面に基づいて説明する。
【００１４】
図１はこの発明の第１実施形態に係る透過型分散補償フィルタの断面を示す概念図である。なお、図１において、黒塗り矢印は光束の向きを示す。
【００１５】
この透過型分散補償フィルタはガラス基板（基板）１０と第１の多層膜２０と第２の多層膜３０とを有する。第１の多層膜２０及び第２の多層膜３０はそれぞれ高屈折材料（Ｎｂ2Ｏ5）と低屈折材料（ＳｉＯ2）とを交互に積層してなる。なお、図１に記載されている層の数は実際の層の数とは異なる。
【００１６】
第１の多層膜２０はガラス基板１０の一方の面に形成されている。この第１の多層膜２０は表１に示すとおりであり、２０９層の膜で構成されている。
【表１】
2005189395.tif 000003
2005189395.tif 000004
【００１７】
第２の多層膜３０はガラス基板１０の他方の面に形成されている。この第２の多層膜３０は表２に示すとおりであり、２０４層の膜で構成されている。
【表２】
2005189395.tif 000005
2005189395.tif 000006
【００１８】
図２は第１の多層膜の分光透過率特性及び群遅延特性を示すグラフである。
【００１９】
図２において、横軸及び縦軸はそれぞれ波長（単位：ｎｍ）及び透過率（単位：％）、群遅延（単位：ｐｓ（ピコ秒））を示している。また、曲線ａは分光透過率特性を示し、曲線ｂは群遅延特性を示している。なお、波長は１５５０ｎｍを中心透過波長とし、１５４８〜１５５２ｎｍの範囲を示している。
【００２０】
図２からわかるように、第１の多層膜２０では透過帯において群遅延特性の群遅延値が波長に対してリニアであるが、透過帯の分光透過率特性のリップルが大きい。
【００２１】
図３は第２の多層膜の分光透過率特性及び群遅延特性を示すグラフである。
【００２２】
図３において、横軸及び縦軸はそれぞれ波長（単位：ｎｍ）及び透過率（単位：％）、群遅延（単位：ｐｓ（ピコ秒））を示している。また、曲線ａは分光透過率特性を示し、曲線ｂは群遅延特性を示している。なお、波長は１５５０ｎｍを中心透過波長とし、１５４８〜１５５２ｎｍの範囲を示している。
【００２３】
この第２の多層膜３０は第１の多層膜２０の透過帯のリップル及び群遅延値を補償する分光透過率特性及び群遅延特性を有する。
【００２４】
図４は第１の多層膜と第２の多層膜とを重ね合わせたときの分光透過率特性及び群遅延特性を示すグラフである。
【００２５】
図４において、横軸及び縦軸はそれぞれ波長（単位：ｎｍ）及び透過率（単位：％）、群遅延（単位：ｐｓ（ピコ秒））を示している。また、曲線ａは分光透過率特性を示し、曲線ｂは群遅延特性を示している。なお、波長は１５５０ｎｍを中心透過波長とし、１５４８〜１５５２ｎｍの範囲を示している。
【００２６】
分光透過率特性は第１の多層膜２０の分光透過率特性と第２の多層膜３０の分光透過率特性とを加え合わせることによって求められている。
【００２７】
また、群遅延特性は第１の多層膜２０の群遅延特性と第２の多層膜３０の群遅延特性とを加え合わせることによって求められている。
【００２８】
その結果、分光透過率特性及び群遅延特性が図４に示すようにそれぞれ合成される。
【００２９】
この第１実施形態によれば、透過帯のリップルを小さくすることができるとともに、群遅延値を波長に対してリニアにすることができる。
【００３０】
図５はこの発明の第２実施形態に係る透過型分散補償フィルタの断面を示す概念図であり、第１実施形態と同一部分には同一符号を付してその説明を省略する。なお、図５において、黒塗り矢印は光束の向きを示す。
【００３１】
この透過型分散補償フィルタは第１のガラス基板（第１の基板）６０Ａと第２のガラス基板（第１の基板以外の基板）６０Ｂと第１の多層膜２０と第２の多層膜３０とを有する。なお、図５に記載されている層の数は実際の層の数とは異なる。
【００３２】
第１のガラス基板６０Ａの一方の面（光が入射する側）には第１の多層膜２０が形成され、他方の面には干渉や迷光を防止するための反射防止膜６１Ａが形成されている。
【００３３】
また、第２のガラス基板６０Ｂの一方の面（光が入射する側）には第２の多層膜３０が形成され、他方の面には干渉や迷光を防止するための反射防止膜６１Ｂが形成されている。
【００３４】
上記構成の第１のガラス基板６０Ａと第２のガラス基板６０Ｂとを図５に示すように  所定の隙間を介して光軸上に平行に配置することによって、第１実施形態と同様に分光透過率特性の透過帯のリップルを小さくすることができる。
【００３５】
この第２実施形態によれば、第１実施形態と同様の効果を奏する。
【００３６】
なお、上記各実施形態において、第１の多層膜２０と第２の多層膜３０とを入れ替えて透過型分散補償フィルタを構成するようにしてもよい。
【００３７】
また、第２実施形態において、反射防止膜６１Ａ，６１Ｂと多層膜２０，３０との順序を変えてもよい。
【図面の簡単な説明】
【００３８】
【図１】図１はこの発明の第１実施形態に係る透過型分散補償フィルタの断面を示す概念図である。
【図２】図２は第１の多層膜の分光透過率特性及び群遅延特性を示すグラフである。
【図３】図３は第２の多層膜の分光透過率特性及び群遅延特性を示すグラフである。
【図４】図４は第１の多層膜と第２の多層膜とを重ね合わせたときの分光透過率特性及び群遅延特性を示すグラフである。
【図５】図５はこの発明の第２実施形態に係る透過型分散補償フィルタの断面を示す概念図である。
【図６】図６は従来の透過型分散補償フィルタの分光透過率特性及び群遅延特性を示すグラフである。
【図７】図７は従来の他の透過型分散補償フィルタの分光透過率特性及び群遅延特性を示すグラフである。
【符号の説明】
【００３９】
１０，６０Ａ，６０Ｂ  ガラス基板（基板）
２０  第１の多層膜
３０  第２の多層膜
【図１】
2005189395.tif 000007
【図２】
2005189395.tif 000008
【図３】
2005189395.tif 000009
【図４】
2005189395.tif 000010
【図５】
2005189395.tif 000011
【図６】
2005189395.tif 000012
【図７】
2005189395.tif 000013